(57)【特許請求の範囲】
【請求項１】
計算機の運行時間帯と、計算機運行データを退避させた退避先記憶媒体上の退避先領域と、退避世代との対応関係を記憶した運行データマップを表示する運行データマップ表示ステップと、
前記運行データマップ表示ステップで表示した運行データマップに対する利用者の指定操作に基づいて検索対象退避先領域を特定する特定ステップと、
前記特定ステップで特定した検索対象退避先領域に格納されている計算機運行データに対する前記利用者の検索パラメータ指定に基づいて当該計算機運行データから当該検索パラメータに合致する計算機運行データ部分を抽出する抽出ステップと、
をコンピュータに実行させることを特徴とする計算機運行データ検索方法。
【請求項２】
前記運行データマップ表示ステップは，利用者による所定のキー操作に基づき、所定の世代を明示する形で運行データマップを表示する、
ことを特徴とする請求項１記載の計算機運行データ検索方法。
【請求項３】
計算機の運行時間帯と、計算機運行データを退避させた退避先記憶媒体上の退避先領域と、退避世代とを対応付けて記憶する運行データマップと、
前記運行データマップを表示する運行データマップ表示手段と、
前記運行データマップ表示手段で表示した運行データマップに対する利用者の指定操作に基づいて検索対象退避先領域を特定する特定手段と、
前記特定手段で特定した検索対象退避先領域に格納されている計算機運行データに対する前記利用者の検索パラメータ指定に基づいて当該計算機運行データから当該検索パラメータに合致する計算機運行データ部分を抽出する抽出手段と、
を備えることを特徴とする計算機運行データ検索装置。
【請求項４】
前記運行データマップ表示手段は，利用者による所定のキー操作に基づき、所定の世代を明示する形で運行データマップを表示する、
ことを特徴とする請求項３記載の計算機運行データ検索装置。
【発明の詳細な説明】
【０００１】
【産業上の利用分野】
本発明は、計算機運行データ検索方法およびそのための装置に関し、特に計算機運行データを任意の運行時間帯の範囲で退避させた複数の退避先記憶媒体上の検索対象退避先領域を自動選択し、当該領域の計算機運行データ群から、あらかじめ利用者が指定した検索パラメータに合致する計算機運行データを検索するようにしたものである。
【０００２】
一般に、計算機システムにおける経時的な運行状況をＤＡＳＤ（Ｄｉｒｅｃｔ  Ａｃｃｅｓｓ  Ｓｔｏｒａｇｅ  Ｄｅｖｉｃｅ）などの退避元記憶媒体にいったん保持してから例えば２４時間ごとにこれをＭＴ（Ｍａｇｎｅｔｉｃ  Ｔａｐｅ）などの退避先記憶媒体に順次退避させ、その後、計算機システムの運行状況の確認や分析などのために必要な計算機運行データを退避先記憶媒体から検索することが行われているが、従来、この検索処理を簡単な操作でかつ効率的におこなうことが要請されており、本発明はこのような要請に応えるものである。
【０００３】
なお、以下の記載では、必要に応じて、退避元記憶媒体の一例としてＤＡＳＤ（ディスク装置）を用い、また退避先記憶媒体の一例としてＭＴ（テープ装置）を用いる。
【０００４】
【従来の技術】
従来、ＤＡＳＤ上の計算機運行データをＭＴに順次退避するとともに、図１１に示すような、ＭＴ上の各退避先領域とそこに保持されている計算機運行データの運行時間帯との対応関係を示した運行データマップを作成している。
【０００５】
このマップデ−タのそれぞれは退避時刻、退避先ＭＴのボリューム番号およびその中でのラベル番号からなり、例えば２１の部分は「９５年１月８日の６時１５分２８秒」に前回の退避時点からのＤＡＳＤ上の計算機運行データがボリューム番号「ＬＯＧＶ１１」のＭＴ中のラベル番号「０１」の領域に退避、すなわち複写されたものであることを示している。
【０００６】
また、ボリューム番号「ＬＯＧＶ１１」のＭＴ中には他にも、
・ラベル番号「０２」の領域に「９５年１月８日の６時１５分２９秒から９５年１月１０日の７時５分２４秒」までのＤＡＳＤ上の計算機運行データが、
・ラベル番号「０３」の領域に「９５年１月１０日の７時５分２５秒から９５年１月１１日の６時１９分２０秒」までのＤＡＳＤ上の計算機運行データが、
・ラベル番号「０４」の領域に「９５年１月１１日の６時１９分２１秒から９５年１月１２日の６時３７分４７秒」までのＤＡＳＤ上の計算機運行データが、
それぞれ退避されていることが分かる。
【０００７】
さらには、ボリューム番号「ＬＯＧＶ１２」〜「ＬＯＧＶ１９」のＭＴも含めて全体で３６個のラベル番号領域に運行時間帯の異なる計算機運行情報が保持されていることが分かる。なお、２２の部分が最新の運行時間帯であり、２３の部分が最も旧い運行時間帯となっている。
【０００８】
そして、利用者が、検索対象運行時間帯の計算機運行データを保持している退避先領域を選択する場合には、先ず画面上にこの運行データマップを表示することが必要となるが、データマップとしてはこの他にも世代管理する退避データなどについてのものが用意されている。
【０００９】
そのため、運行データマップを画面表示させるには、
・マップリストを読出し、
・このマップリストから運行データマップを選択する、
といった少なくとも２段階の操作手順が必要となる。
【００１０】
次に、利用者がこの運行データマップから該当するボリューム番号とラベル番号とを選択することにより、このラベル番号の退避先領域に保持されている計算機運行データのすべてが画面表示される。
【００１１】
【発明が解決しようとする課題】
このように、従来の、ＭＴなどの退避先記憶媒体から計算機運行データを検索する手法では、
・運行データマップを画面表示する際に利用者は少なくとも２段階の操作手順を必要とし、
・画面表示された計算機運行データ群の中から検索対象種別の計算機運行デ−タをいわば手作業により探していくので検索効率が悪い、
などの問題点があった。
【００１２】
そこで、本発明では、ＪＯＢ名、メッセージＩＤおよび検索文字列などの検索パラメータを用いて計算機運行データ群から特定の計算機運行デ−タを選択できるようにし、さらには運行データマップの画面表示を指示するための特定データ、例えば特定キーの押下操作時の入力データやパスワードなどを用意することにより、退避先記憶媒体上の計算機運行データを検索する際の検索効率や操作上の利便性を高めることを目的とする。
【００１３】
【課題を解決するための手段】
図１は、本発明の原理説明図である。
図において、
１は、ＤＡＳＤ（ディスク装置）などの退避元記憶媒体であり、ここには計算機システムにおけるジョブ、タスク、トランザクションなどの履歴である計算機運行データが逐次保持されていき、新たな記憶領域がなくなった場合には旧データを消去した部分に新データが書き込まれる。
２は、複数のＭＴ（テープ装置）などからなる退避先記憶媒体であり、各ＭＴには退避元記憶媒体１の計算機運行データを所定の運行時間帯ごと、例えば１日ごとに複写した退避先領域が形成されている。なお、単一のＭＴに退避される計算機運行データの全体は複数日分となるのが一般的である。
３は、運行データマップであり、計算機運行データの退避処理の際に作成され、退避先記憶媒体２の個々の退避先領域と計算機の運行時間帯との対応関係、例えば９５年１月８日（２４時間）の計算機運行データはボリューム「１１」のＭＴ中の領域「１」に格納されていることが記されている。また、図５に示すように、運行データマップには当該退避先領域に対応した世代番号も設定されている。
４は、キーボードなどの入力部であり、
・運行データマップを表示させるための特定データ
・検索対象
・検索パラメータ
などの指示がおこなわれる。
５は、検索処理部であり、検索処理用ソフトウェアの走行により検索対象退避先領域の計算機運行データ群を退避先記憶媒体２から取り出し、その中の、検索パラメータに合致する計算機運行データを選択している。
６は、表示部であり、
・運行データマップ
・検索パラメータ入力画面
・検索結果データ
などを表示している。
７は、プログラムメモリであり、検索処理用ソフトウェアが格納されている。
８は、外部記憶装置であり、検索結果データなどが格納される。
【００１４】
検索処理部５における基本的な処理手順は次のようになっている。
（１）  入力部４からの特定データ、例えば特定キーの押下操作時の入力データやパスワード等に基づいて運行データマップ３を表示部６に表示する（図５参照）。利用者は、この表示画面上で検索対象退避先領域として、例えば「１１−１」を指示する。
（２）  検索パラメータ入力画面を設定する（図６参照）。なお、この表示画面上でＪＯＢ名、メッセージＩＤ、検索文字列などの検索パラメータが入力される。
（３）  指定された退避先領域の計算機運行データ群を退避先記憶媒体２から取り出してワーク領域（図示省略）に保持する。
（４）  この中から検索パラメータに合致する計算機運行データを選択して画面表示する。
【００１５】
ここで、ステップ（１）  と（２）  、およびステップ（２）  と（３）  それぞれの実行順序は任意であり、ステップ（４）  で求められた検索結果データは表示部６に表示されるとともに、プリント出力されたり、また外部記憶装置８に格納される。
【００１６】
なお、検索対象退避先領域を特定する手法としては、前述したような運行データマップ３の表示画面上で利用者が当該退避先領域を指示することに代え、利用者が検索対象運行時間帯を入力し、検索処理部５の方でこの運行時間帯に対応した退避先領域を運行データマップ３から求めるようにしてもよく、この場合、運行データマップ３の画面表示処理は不要である。
【００１７】
本発明の、計算機運行データ検索方法としての基本的構成は、
「計算機の運行時間帯と、計算機運行データを退避させた退避先記憶媒体上の退避先領域と、退避世代との対応関係を記憶した運行データマップを表示する運行データマップ表示ステップと、前記運行データマップ表示ステップで表示した運行データマップに対する利用者の指定操作に基づいて検索対象退避先領域を特定する特定ステップと、前記特定ステップで特定した検索対象退避先領域に格納されている計算機運行データに対する前記利用者の検索パラメータ指定に基づいて当該計算機運行データから当該検索パラメータに合致する計算機運行データ部分を抽出する抽出ステップと、をコンピュータに実行させることを特徴とする計算機運行データ検索方法」である。
【００１８】
本発明の、計算機運行データ検索装置としての基本的構成は、
「計算機の運行時間帯と、計算機運行データを退避させた退避先記憶媒体上の退避先領域と、退避世代とを対応付けて記憶する運行データマップと、前記運行データマップを表示する運行データマップ表示手段と、前記運行データマップ表示手段で表示した運行データマップに対する利用者の指定操作に基づいて検索対象退避先領域を特定する特定手段と、前記特定手段で特定した検索対象退避先領域に格納されている計算機運行データに対する前記利用者の検索パラメータ指定に基づいて当該計算機運行データから当該検索パラメータに合致する計算機運行データ部分を抽出する抽出手段と、を備えることを特徴とする計算機運行データ検索装置」である。
【００１９】
【作用】
本発明は、このように、各種の検索パラメータを用いて検索対象退避先領域の計算機運行データ群から特定種別のものを選択できるようにし、さらには運行データマップの画面表示を指示するための特定データ、例えば特定キーの押下操作時の入力データやパスワードなどを用意したものである。
【００２０】
また、検索対象退避先領域の計算機運行データ群から求めた検索結果データを外部記憶装置に格納しておき、利用者はこの検索結果データをいつでも外部記憶装置から取り出して画面上でその内容を確認できるようにしている。
【００２１】
【実施例】
図２〜図１０を参照して本発明の実施例を説明する。
なお、以下の記載では、説明の便宜上、運行データマップの表示画面上で検索対象退避先領域を利用者が指示する場合を前提としている。
【００２２】
図２は、計算機運行データ検索装置の全体構成を示す説明図であり、
１０は検索処理などを実行するプロセッサ、
１１は計算機運行データを逐次格納したＤＡＳＤ（退避元記憶媒体）、
１２は当該ＤＡＳＤ上の計算機運行データを運行時間帯ごとに退避させたＭＴ（退避先記憶媒体）、
１３は運行データマップ（図５参照）を保持したテーブル、
１４は検索処理ソフトウェアを格納したプログラムメモリ、
１５は検索処理の際の各種データを保持する主メモリ、
１６は運行データマップ、検索パラメータなどの入力画面、検索経過や検索結果データなどを表示するＣＲＴディスプレイ、
１７は利用者が各種指示などをおこなうためのキーボード、
１８は検索結果データなどを格納する外部記憶装置（ＤＡＳＤ）、
１９は検索結果データなどを印刷するプリンタ、
をそれぞれ示している。
【００２３】
ここで、プロセッサ１０は、プログラムメモリ１４からローディングした検索処理ソフトウェアが走行することにより、ＣＲＴディスプレイ１６の表示画面上でキーボード１７の操作によって指定された検索対象退避先領域の計算機運行データ群をＭＴ１２から取り出し、その中で、同じように指定された検索パラメータに合致する計算機運行データを選択してＣＲＴディスプレイ１６に表示するといった一連の処理を実行している。
【００２４】
また、プロセッサ１０は、利用者からの指示に基づき、ＣＲＴディスプレイ１６に表示された検索結果データのプリンタ１９への印刷や外部記憶装置１８への格納を実行し、さらには外部記憶装置１８から検索結果データを取り出してＣＲＴディスプレイ１６へ表示し、不要となった当該検索結果データを削除している。
【００２５】
図３〜図７は検索処理の際に用いられる主な表示画面を示す説明図であり、
・図３は検索対象機種（ホストコンピュータ）の選択画面、
・図４は検索処理の開始画面、
・図５は運行データマップの表示画面、
・図６は検索対象退避先領域、検索パラメータ、検索結果データの出力先などの指定画面、
・図７は検索結果ファイル中の検索結果データの取扱いについての指定画面、
をそれぞれ示している。なお、検索結果ファイルは例えば外部記憶装置１８に設定されたものである。
【００２６】
図３〜図７の各画面において、
・「ＳＹＳＬＯＧ編集」は計算機運行データの検索、
・「ＳＹＳＬＯＧ情報」は計算機運行データ、
・「ＳＹＳＬＯＧ退避媒体」は退避先記憶媒体（複数のＭＴ）、
・「ＳＹＳＬＯＧ退避媒体（ＭＴＬ）マップ」は運行データマップ、
にそれぞれ対応する。
【００２７】
図３の選択画面では「１」の番号指定が入力されており、２台のホストコンピュータ中の「Ｍ７８０♯０３」号機を計算機運行データの検索対象とすることを指定した場合である。
【００２８】
図４の開始画面では、
・ジョブ名として「Ｖ」が入力され、
・時間指定（１日の中の検索対象となる運行時間帯の指定）として「０６時０４分〜９９時９９分」が入力され、
・プリンタのクラス指定として初期値「Ｊ」が設定されている。
【００２９】
ジョブ名の「Ｖ」はこの文字を入力して実行キーを押すだけの操作で図５の表示画面が設定されるようにした、いわばファンクションキー対応のものであり、また、時間指定の「〜９９時９９分」はその日の最後迄の意である。
【００３０】
ジョブ名の部分に示される「０」及び「Ｅ」はともに「Ｖ」と同様のファンクションキー対応のものであり、前者は検索結果データをそれが格納されている検索結果ファイルから取り出して画面表示するときに用いられ、また後者は検索処理中にエラーが発生したときなどに当該処理を強制終了させるときに用いられる。
【００３１】
この開始画面中の「ＤＡＴＡノＢＲＯＷＳ  ショリ」とは検索結果データを検索結果ファイルから取り出して画面表示することである。なお、「Ｖ」などの各キーは単なる一例にすぎず他の文字キーを用いるようにしてもよいことは勿論である。
【００３２】
図５の表示画面中で従来のもの（図１１参照）と異なっているのは、
・退避時刻と退避先領域との対応関係のそれぞれに世代番号を通し番号で設定したこと、
・最新世代番号、図示の場合は「２１」の部分に矢印Ａを付したこと、
である。
【００３３】
利用者は、この表示画面をみながら検索対象運行時間帯に対応の世代番号を入力して実行キーを押す。なお、当該運行時間帯が最新世代である場合にはそのまま実行キーを押せばよい。
【００３４】
図６はこの最新世代を対象とした実行キーの操作に基づいて生成される指定画面であり、図示のものは、
・ＭＳＧ−ＩＤ（メッセージＩＤ）として「ＪＣＥ３２９Ｉ」が指定され、
・検索対象退避先領域を特定するＤＤパラメータとして、ＶＯＬ通番の「ＬＯＧＶ１６」とラベル番号の「０１」とが自動入力され、
・検索結果データの出力先として「Ｄ」が指定された、
後の状態を示している。
【００３５】
ＭＳＧ−ＩＤとして７文字までの文字列を５個指定でき、検索文字列として２４文字までの文字列を２個指定でき、また検索結果データの出力先の「Ｄ」は検索結果ファイルに対応する。
【００３６】
ここで実行キーが押されると検索処理が始まり、ＤＤパラメータによって特定されるＭＴ領域から取り出した計算機運行データ群をワーク領域にいったん保持し、その中からＭＳＧ−ＩＤおよび時間指定の内容に合致した計算機運行データのみを選択して、これを画面表示するとともに検索結果ファイルに格納する。
【００３７】
図７の指定画面は、いままでの検索処理とは違って、検索結果ファイルから取り出した検索結果データを画面表示した後の当該ファイルの処置、すなわちこの検索結果データを当該ファイルに保存したままとするか、それとも削除してしまうかを指示するときに用いられるもので、前者の場合には「Ｋ」を入力し、後者の場合には「Ｄ」を入力すればよい。
【００３８】
なお、検索パラメータの中、
・ＪＯＢ名、ＭＳＧ−ＩＤおよび検索文字列の指定は任意であり、
・時間指定は必須のもの、
となっており、前者の各データの指定が何もないときはこの時間指定とＤＤパラメータの両者で特定される計算機運行データ群がすべて画面表示される。
【００３９】
検索結果データの出力先の指定も任意であり、この指定がないときには検索結果データの検索結果ファイルへの格納処理やプリンタへの印刷処理は実行されず、利用者はもっぱら画面表示の検索結果データを利用することになる。
【００４０】
また、図示していないが、
・検索処理の途中から終了にいたるまでの経過（現在の処理対象となっている運行時間やそれまでの検索件数など）を示す画面、
・印刷処理の様式（印刷するライン番号など）を指示するための画面、
なども用意されている。
【００４１】
図８は、退避先記憶媒体のＭＴ１２から取り出した計算機運行データ群の一部を示す説明図であり、計算機運行データのそれぞれは退避元記憶媒体のＤＡＳＤ１１に保持された時刻、メッセージＩＤやメッセージテキストなどからなる。図中の、「ＲＯＵＴＥ」は「システムＩＤ」のことであり、また「Ｊ／Ｔ／Ｓ−ＩＤ」は「ＪＯＢタスク、ＴＳＳタスク、ＳＴＡＲＴＥＤタスク」のことである。
【００４２】
検索パラメータを指定するときのＪＯＢ名としてはメッセージテキスト中の例えば「ＡＥ０００５Ｙ」が用いられ、また検索文字列としてはメッセージテキスト中の例えば「ＲＥＣＯＶＥＲＹ」が用いられる。
【００４３】
図９は、検索処理のときの手順を示す説明図であり、その内容は次のようになっている。
（１１）検索対象ホストコンピュータの機種名を番号で指定し、それを実行して次のステップに進む（図３参照）。このとき、検索対象ホストコンピュータの計算機運行データを保持しているＭＴ１２およびこれに対応のテーブル（運行データマップ）１３が特定され、またＣＲＴディスプレイ１６の表示画面が図４の内容に変化する。
（１２）運行データマップ表示用の特定キー「Ｖ」や検索対象運行時間帯などを入力し、それを実行して次のステップに進む（図４参照）。なお、検索対象運行時間帯についてはステップ（１７）で指定してもよい。
（１３）テーブル１３の運行データマップをＣＲＴディスプレイ１６に表示して、次のステップに進む（図５参照）。このとき、表示画面上で世代番号が入力される。
（１４）世代番号の新たな指定があったかどうかを判断し、「ＹＥＳ」の場合は次のステップに進み、「ＮＯ」の場合はステップ（１６）に進む。なお、「新たな指定」とは旧世代番号が入力されたことに対応する。
（１５）新たに指定された世代番号のボリューム番号およびラベル番号をＤＤパラメータに自動入力して、ステップ（１７）に進む。
（１６）最新の世代番号のボリューム番号およびラベル番号をＤＤパラメータに自動入力して、次のステップに進む（図６参照）。
（１７）図６の指定画面上で以下のデータを入力して、次のステップに進む。なお、この入力をおこなうかどうかは任意である。
・検索パラメータ（ＪＯＢ名、メッセージＩＤ、検索文字列）
・検索結果データの出力先
（１８）ＤＤパラメータで特定されるＭＴ１２上の退避先領域の計算機運行データ群を取り出し、これをワーク領域（図示省略）に保持して、次のステップに進む。
（１９）検索パラメータが指定されているかどうかを判断し、「ＹＥＳ」の場合は次のステップに進み、「ＮＯ」の場合はステップ（２１）に進む。
（２０）ステップ（１８）で取り出した計算機運行データ群の中で検索パラメータの指定内容および時間指定の内容に合致したデータのみを選択し、これを画面表示して、ステップ（２２）に進む。
（２１）ステップ（１８）で取り出した計算機運行データ群の中で時間指定の内容に合致したデータのみを選択し、この検索結果データを画面表示して、次のステップに進む。
（２２）検索結果データの出力先が指定されているかどうかを判断し、「ＹＥＳ」の場合は次のステップに進み、「ＮＯ」の場合は一連の検索処理を終了する。
（２３）指定先（外部記憶装置１８またはプリンタ１９）に検索結果データを送り、その出力処理を実行して一連の検索処理を終了する。なお、外部記憶装置１８への出力は検索結果ファイルを生成する形でおこなわれる。
【００４４】
以上の処理において、ステップ（１１）、（１２）および（１７）の実行主体は利用者であり、その外の各ステップの実行主体は走行プログラムである。また、各ステップの実行順序は一例にすぎず、ステップの前後関係に必然性がない範囲において変更可能である。
【００４５】
図１０は、検索結果ファイルに格納された検索結果データの処置手順を示す説明図であり、その内容は次のようになっている。
（３１）検索結果ファイルから検索結果データを取り出すコマンドを特定キー「０」の押下げにより発行して、次のステップに進む。
（３２）検索結果ファイルから取り出した検索結果データをワーク領域に保持して、次のステップに進む。
（３３）当該検索結果データをＣＲＴディスプレイ１６に表示して、次のステップに進む。
（３４）当該検索結果データについての、
・印刷処理の要否および印刷様式
・削除／保存
などを指定して、次のステップに進む（図７参照）。
（３５）印刷処理が指定されているかどうかを判断し、「ＹＥＳ」の場合は次のステップに進み、「ＮＯ」の場合はステップ（３７）に進む。
（３６）当該検索結果データを指定内容にしたがった形で印刷して、次のステップに進む。
（３７）「削除／保存」のいずれが指定されているかどうかを判断し、「削除」の場合は次のステップに進み、「保存」の場合は一連の処理を終了する。
（３８）この検索結果データを検索結果ファイルから削除して、一連の処理を終了する。
【００４６】
以上の処理において、ステップ（３１）および（３４）の実行主体は利用者であり、その外の各ステップの実行主体は走行プログラムである。また、各ステップの実行順序は一例にすぎず、ステップの前後関係に必然性がない範囲において変更可能である。
【００４７】
【発明の効果】
本発明は、このように、ＪＯＢ名、メッセージＩＤおよび検索文字列などの検索パラメータを用いて計算機運行データ群から特定の計算機運行デ−タを選択できるようにし、さらには運行データマップの画面表示を指示するための特定データ、例えば特定キーの押下操作時の入力データやパスワードなどを用意しているので、退避先記憶媒体上の計算機運行データを検索する際の検索効率や操作上の利便性を高めることができる。
【図面の簡単な説明】
【図１】本発明の、原理説明図である。
【図２】本発明の、計算機運行データ検索装置の全体構成を示す説明図である。
【図３】本発明の、検索対象機種（ホストコンピュータ）の選択画面を示す説明図である。
【図４】本発明の、検索処理の開始画面を示す説明図である。
【図５】本発明の、運行データマップの表示画面を示す説明図である。
【図６】本発明の、検索対象退避先領域、検索パラメータ、検索結果データの出力先などの指定画面を示す説明図である。
【図７】本発明の、検索結果ファイル中の検索結果データの取扱いについての指定画面を示す説明図である。
【図８】本発明の、退避先記憶媒体から取り出した計算機運行データ群の一部を示す説明図である。
【図９】本発明の、検索処理手順を示す説明図である。
【図１０】本発明の、検索結果ファイルに格納された検索結果データの処置手順を示す説明図である。
【図１１】従来の、運行データマップの一例を示す説明図である。
【符号の説明】
図１において、
１・・・退避元記憶媒体
２・・・退避先記憶媒体
３・・・運行データマップ
４・・・入力部
５・・・検索処理部
６・・・表示部
７・・・プログラムメモリ
８・・・外部記憶装置
【図１】
0003557439.tif 000002
【図２】
0003557439.tif 000003
【図３】
0003557439.tif 000004
【図４】
0003557439.tif 000005
【図５】
0003557439.tif 000006
【図６】
0003557439.tif 000007
【図７】
0003557439.tif 000008
【図８】
0003557439.tif 000009
【図９】
0003557439.tif 000010
【図１０】
0003557439.tif 000011
【図１１】
0003557439.tif 000012